Podtech/llm-jp-corpus-v4-ja_patent huggingface dataset:
【手続補正書】
【提出日】平成17年5月17日(2005.5.17)
【手続補正１】
【補正対象書類名】明細書
【補正対象項目名】請求項１
【補正方法】変更
【補正の内容】
【請求項１】
前後方向にかつ上下方向に延びて水中を左右に分断可能とする拡散防止ユニットと、前後方向に向って列設された複数の上記拡散防止ユニットを互いに連結させる連結手段とを備え、上記拡散防止ユニットが、水面に沿って前後方向に長く延びこの水面に浮かべられる長尺の本体浮体と、水中を前後方向かつ上下方向に延びてその上端縁が上記本体浮体に連結されるカーテンとを備えた水中における汚濁水の拡散防止装置において、
上記各連結手段が、隣り合う上記拡散防止ユニットにおける各本体浮体の互いに対向する両端部の近傍に配設されて水面に浮かべられる連結用浮体と、この連結用浮体に上記各本体浮体の端部をそれぞれ連結させる連結具とを備えた水中における汚濁水の拡散防止装置。
【手続補正２】
【補正対象書類名】明細書
【補正対象項目名】０００４
【補正方法】変更
【補正の内容】
【０００４】
上記の場合、各拡散防止ユニットは、工場での製造や搬送等の便宜上、所定長さに形成されている。また、上記拡散防止ユニットは、水面に沿って前後方向に長く延びこの水面に浮かべられる長尺の本体浮体と、水中を前後方向かつ上下方向に延びてその上端縁が上記本体浮体に連結されるカーテンとを備えている。
【手続補正３】
【補正対象書類名】明細書
【補正対象項目名】００２４
【補正方法】変更
【補正の内容】
【００２４】
請求項１の発明は、前後方向にかつ上下方向に延びて水中１４を左右に分断可能とする拡散防止ユニット６と、前後方向に向って列設された複数の上記拡散防止ユニット６，６を互いに連結させる連結手段７とを備え、上記拡散防止ユニット６が、水面１２に沿って前後方向に長く延びこの水面１２に浮かべられる長尺の本体浮体１３と、水中１４を前後方向かつ上下方向に延びてその上端縁が上記本体浮体１３に連結されるカーテン１６とを備えた水中における汚濁水の拡散防止装置において、
【手続補正４】
【補正対象書類名】明細書
【補正対象項目名】００６６
【補正方法】変更
【補正の内容】
【００６６】
請求項１の発明によれば、前後方向にかつ上下方向に延びて水中を左右に分断可能とする拡散防止ユニットと、前後方向に向って列設された複数の上記拡散防止ユニットを互いに連結させる連結手段とを備え、上記拡散防止ユニットが、水面に沿って前後方向に長く延びこの水面に浮かべられる長尺の本体浮体と、水中を前後方向かつ上下方向に延びてその上端縁が上記本体浮体に連結されるカーテンとを備えた水中における汚濁水の拡散防止装置において、
【手続補正５】
【補正対象書類名】明細書
【補正対象項目名】００７２
【補正方法】変更
【補正の内容】
【００７２】
即ち、上記索条体の一端部の近傍には上記連結用浮体が位置させられていて、上記索条体と接触し易くなっており、このため、上記拡散防止ユニットが水流や波によって変動し、これと共に上記連結手段が変動するときには、この連結手段の連結用浮体は上記索条体の一端部と摩擦して損傷させられるおそれがある。
【手続補正６】
【補正対象書類名】明細書
【補正対象項目名】００７３
【補正方法】変更
【補正の内容】
【００７３】
そこで、上記連結手段の連結用浮体の耐摩耗性を向上させてもよく、このようにした場合でも、上記連結手段は拡散防止ユニットに比べて形状が十分に小さいために、拡散防止装置が高価になることは抑制される。
【手続補正７】
【補正対象書類名】明細書
【補正対象項目名】００７４
【補正方法】変更
【補正の内容】
【００７４】
また、上記したように連結手段の連結用浮体が損傷したとき、これを他の新しいものに交換するとしても、上記連結手段は形状が小さいために、上記交換の作業は容易にでき、かつ、安価にできる。
【手続補正書】
【提出日】平成16年10月15日(2004.10.15)
【手続補正１】
【補正対象書類名】明細書
【補正対象項目名】００２２
【補正方法】変更
【補正の内容】
【００２２】
尚、本発明を実施する場合に、枢軸１５（図１参照）とバルブ係合部１２（図６）との平行度（一方を他方に向け平行移動させて重ね合わせたと仮定した場合に於ける凹凸の差）は、０．０１０mm以下にする事が、偏荷重を防止して耐久性を維持する面からは好ましい。同様の理由で、上記枢軸１５の両端部を支持する為、各側壁部３、３に形成した通孔１４、１４のこれら各側壁部３、３に対する直角度（これら各通孔１４、１４の中心軸に対し直角な仮想平面に対する各側壁部３、３の凹凸の差）を０．０２５mm以下にする事が好ましい。又、上記バルブ係合部１２の表面粗さは０．４ａ（μｍRa）以下に、ピボット部６（図６）の表面粗さは３．２Ｓ（Ｒmax ）以下に、それぞれ抑える事が、これら各部１２、６と当接する弁体の基端部若しくはラッシュアジャスタの先端部の摩耗防止を図る上からは好ましい。更に、上記バルブ係合部１２の幅方向両側に設けた壁部の直角度を０．０５０mm以下、上記１対の通孔１４、１４の同軸度を０．００６mm以下、これら各通孔１４、１４の真円度を０．００５mm以下、これら各通孔１４、１４の内周面の表面粗さを０．４ａ以下にする事が、板金製ロッカーアームを備えたカムフォロアの性能を確保する面からは好ましい。尚、これらの条件を満たすべく、板金製ロッカーアーム１３、１３ａに、プレス加工によるサイジングの他、切削加工、研磨加工等、必要とする機械加工を施す。
【手続補正書】
【提出日】平成16年10月15日(2004.10.15)
【手続補正１】
【補正対象書類名】明細書
【補正対象項目名】００１６
【補正方法】変更
【補正の内容】
【００１６】
特に、図示の例では、上記各側壁部３、３の内側面１４、１４に、それぞれ潤滑油取り込み用の凹部２０、２０を形成している。これら各凹部２０、２０は、それぞれ、一端（図１〜２の上端）が上記各側壁部３、３の外端縁（図１〜２の上端縁）に開口し、他端（図１〜２の下端）に向う程浅くなる方向に傾斜している。図示の例では、これら各凹部２０、２０の他端縁を、ほぼ上記各通孔１５、１５の周縁にまで達する様に形成している。
【手続補正２】
【補正対象書類名】明細書
【補正対象項目名】００１７
【補正方法】変更
【補正の内容】
【００１７】
更に、図示の例では、上記各側壁部３、３の内側面１４、１４と上記ローラ１８の軸方向両端面との間に、鋼板、銅板等の金属板製のワッシャ２１、２１を設けている。これら各ワッシャ２１、２１の内径は、上記枢軸１６の中間部の外径よりも十分に大きくしている。従ってこれら各ワッシャ２１、２１は、上記枢軸１６の中間部周囲で上記各側壁部３、３の内側面１４、１４と上記ローラ１８の軸方向両端面との間に、回転自在に設けられている。
【手続補正３】
【補正対象書類名】明細書
【補正対象項目名】００１８
【補正方法】変更
【補正の内容】
【００１８】
上述の様な構成を有する本発明の板金製ロッカーアームを備えたカムフォロアによれば、上記ローラ１８の軸方向端面と上記各側壁部３、３の内側面１４、１４との間の摩擦抵抗を小さくできる。即ち、エンジンに組み込まれた図示しない潤滑ポンプの働きにより、板金製ロッカーアームを備えたカムフォロアの周囲に送り込まれた潤滑油は、上記各凹部２０、２０の一端開口からこれら各凹部２０、２０内に効率良く送り込まれる。この様にして各凹部２０、２０内に送り込まれた潤滑油は、順次上記ローラ１８の軸方向端面と上記各側壁部３、３の内側面１４、１４との間の隙間空間内に拡散し、上記各ワッシャ２１、２１の両側面と上記ローラ１８の軸方向端面及び上記各側壁部３、３の内側面１４、１４との間に油膜を形成する。この結果、上記ローラ１８の回転抵抗を小さくすると共に、このローラ１８及び板金製ロッカーアーム１３の摩耗を低減する事ができる。しかも、図示の例の場合には、上記ワッシャ２１、２１を設けている為、上記ローラ１８の軸方向端面と上記各側壁部３、３の内側面１４、１４との間に油膜が、２個所ずつ存在する。この結果、上記回転抵抗及び摩耗の低減効果がより一層向上する。
【手続補正４】
【補正対象書類名】明細書
【補正対象項目名】００１９
【補正方法】変更
【補正の内容】
【００１９】
次に、図３は、請求項２〜３に対応する、本発明の実施の形態の第２例を示している。本例の場合には、板金製ロッカーアーム１３ａを構成する各側壁部３、３の内側面１４、１４の平坦度（最も突出した部分に接する第一の仮想直線と、この第一の仮想直線と平行で、最も凹んだ部分に接する第二の仮想直線との距離）を１０μｍ以下としている。又、上記各側壁部３、３の内側面１４、１４の表面粗さを０．３μｍRa以下としている。
【手続補正５】
【補正対象書類名】明細書
【補正対象項目名】００２０
【補正方法】変更
【補正の内容】
【００２０】
更に、上記各側壁部３、３の内側面１４、１４に、固体潤滑皮膜処理又は軟窒化処理を施す事により、この内側面の摩擦係数を低くしている。尚、このうちの固体潤滑皮膜処理としては、化成処理皮膜の上に二硫化モリブデン（MoＳ2 ）の皮膜を形成したものが適当である。又、軟窒化処理としては、タフトライド処理、或はガス軟窒化処理が適当である。尚、これら固体潤滑皮膜処理又は軟窒化処理は、上記各側壁部３、３の内側面１４、１４に施せば足りるが、工業的手法でこの内側面１４、１４のみに施す事は実際には難しい場合がある。従って、この様な場合には、上記固体潤滑皮膜処理又は軟窒化処理を、上記板金製ロッカーアーム１３ａの表面全体に亙り施す。この様な固体潤滑皮膜処理又は軟窒化処理は、処理温度が高い為、上記板金製ロッカーアーム１３ａの表面の硬度が低下するが、上記板金製ロッカーアーム１３ａの表面の硬度が多少低下する事は、特に問題とはならない。
【手続補正６】
【補正対象書類名】明細書
【補正対象項目名】００２１
【補正方法】変更
【補正の内容】
【００２１】
上述の様な構成を有する本発明の板金製ロッカーアームを備えたカムフォロアによっても、上記ローラ１８の軸方向端面と上記各側壁部３、３の内側面１４、１４との間の摩擦抵抗を小さくできる。即ち、上記各側壁部３、３の内側面１４、１４の平坦度及び表面粗さを小さく（表面を平滑に）しているので、これら各内側面１４、１４とローラ１８の軸方向端面との間に、良好な油膜を形成して、上記両面同士の間の摩擦抵抗の低減を図れる。更に、上記各内側面１４、１４に固体潤滑皮膜処理又は軟窒化処理を施せば、上記両面同士の間の摩擦抵抗をより一層低減できる。尚、二硫化モリブデン等の固体潤滑皮膜は、長期間に亙る使用に伴って剥離するが、エンジンの組立直後、潤滑油が上記ローラ１８部分に達するまでの間に、上記両面同士の間の摩擦抵抗を低減して、これら両面が損傷するのを防止できる。又、図示の例では、上記各側壁部３、３の端縁に形成される、プレス加工時のだれに基づく傾斜面２２、２２の方向を、上記ローラ１８側に潤滑油を導き易い方向に規制している。
【手続補正７】
【補正対象書類名】明細書
【補正対象項目名】００２２
【補正方法】変更
【補正の内容】
【００２２】
次に、図４は、請求項４のみに対応する、本発明の実施の形態の第３例を示している。本例は、前述した第１例から、各側壁部３、３の内側面１４、１４の凹部２０、２０（図１〜２）を除いたものである。この様な本例の場合には、ワッシャ２１、２１を設ける事により、ローラ１８の軸方向端面と上記各側壁部３、３の内側面１４、１４との間に油膜を２個所ずつ存在させて、上記ローラ１８の回転抵抗及び各部の摩耗の低減を図れる。又、プレス加工により、上記両内側面１４、１４の平行度が不良になっても、これら両内側面１４、１４と上記ローラ１８の端面と直接当接せず、このローラ１８は、上記ワッシャ２１、２１を回転させつつ、円滑に回転する。
【手続補正８】
【補正対象書類名】図面
【補正対象項目名】図８
【補正方法】変更
【補正の内容】
【図８】
2000054810.tif 000001
【手続補正書】
【提出日】平成16年5月13日(2004.5.13)
【手続補正１】
【補正対象書類名】明細書
【補正対象項目名】特許請求の範囲
【補正方法】変更
【補正の内容】
【特許請求の範囲】
【請求項１】
複数の識別情報画像が変動表示又は停止表示される表示部を備え、前記表示部において、前記複数の識別情報画像のうち少なくとも一つ以上の識別情報画像が常時変動表示され、遊技者の発射するパチンコ球が所定の位置を通過又は入球したことを契機に、前記常時変動表示されている識別情報画像が停止表示されるパチンコ遊技機であって、
前記常時変動表示されている識別情報画像が停止表示されたとき又は停止表示された後に、新たに常時変動表示されている識別情報画像を表示させることを特徴とするパチンコ遊技機。
【請求項２】
複数の識別情報画像が変動表示又は停止表示される表示部を備え、前記表示部において、前記複数の識別情報画像のうち少なくとも一つ以上の識別情報画像が常時変動表示され、遊技者の発射するパチンコ球が所定の位置を通過又は入球したことを契機に、前記常時変動表示されている識別情報画像が停止表示されるパチンコ遊技機の表示制御方法であって、
前記常時変動表示されている識別情報画像が停止表示されたとき又は停止表示された後に、新たに常時変動表示されている識別情報画像を表示させる制御内容を含むことを特徴とするパチンコ遊技機の表示制御方法。
【請求項３】
複数の識別情報画像が変動表示又は停止表示される表示部を備え、前記表示部において、前記複数の識別情報画像のうち少なくとも一つ以上の識別情報画像が常時変動表示され、遊技者の発射するパチンコ球が所定の位置を通過又は入球したことを契機に、前記常時変動表示されている識別情報画像が停止表示されるパチンコ遊技機の表示制御を行うサーバであって、
前記パチンコ遊技機の前記表示部に、前記常時変動表示されている識別情報画像が停止表示されたとき又は停止表示された後に、新たに常時変動表示されている識別情報画像を表示させることを特徴とするサーバ。
【請求項４】
複数の識別情報画像が変動表示又は停止表示される表示部を備え、前記表示部において、前記複数の識別情報画像のうち少なくとも一つ以上の識別情報画像が常時変動表示され、遊技者の発射するパチンコ球が所定の位置を通過又は入球したことを契機に、前記常時変動表示されている識別情報画像が停止表示されるパチンコ遊技機の表示制御方法であって、
前記常時変動表示されている識別情報画像が停止表示されたとき又は停止表示された後に、新たに常時変動表示されている識別情報画像を表示させる制御内容を含むことを特徴とするパチンコ遊技機の表示制御方法を実行可能なプログラムが記憶されている記憶媒体。
【請求項５】
複数の識別情報画像を変動表示又は停止表示する表示部と、
前記表示部において、遊技者の操作により発射されたパチンコ球が所定の位置を通過又は入球する以前から前記複数の識別情報画像のうち少なくとも一つ以上の識別情報画像を変動表示させるとともに、前記パチンコ球が所定の位置を通過又は入球したことを契機に前記変動表示されている識別情報画像を停止表示させる表示制御装置とを備えたパチンコ遊技機であって、
前記表示制御装置は、前記変動表示されている識別情報画像が停止表示されたとき又は停止表示された後に、当該識別情報画像を表示させるとともに、少なくとも一つ以上の識別情報画像が変動表示された複数の識別情報画像を新たに表示させることを特徴とするパチンコ遊技機。
【手続補正書】
【提出日】平成16年5月13日(2004.5.13)
【手続補正１】
【補正対象書類名】明細書
【補正対象項目名】特許請求の範囲
【補正方法】変更
【補正の内容】
【特許請求の範囲】
【請求項１】
複数の識別情報画像が変動表示又は停止表示される表示部を備え、前記表示部において、前記複数の識別情報画像のうち少なくとも一つ以上の識別情報画像が常時変動表示され、遊技者の発射するパチンコ球が所定の位置を通過又は入球したことを契機に、前記常時変動表示されている識別情報画像が停止表示されるパチンコ遊技機であって、
常時変動表示されている前記複数の識別情報画像の変動速度に応じた態様で前記識別情報画像を停止表示させることを特徴とするパチンコ遊技機。
【請求項２】
速い速度で常時変動表示されている識別情報画像を停止表示させる際には常時変動表示から停止表示されるまでの時間を長くするとともに、遅い速度で常時変動表示されている識別情報画像を停止表示させる際には常時変動表示から停止表示されるまでの時間を短くすることを特徴とする請求項１記載のパチンコ遊技機。
【請求項３】
複数の識別情報画像が変動表示又は停止表示される表示部を備え、前記表示部において、前記複数の識別情報画像のうち少なくとも一つ以上の識別情報画像が常時変動表示され、遊技者の発射するパチンコ球が所定の位置を通過又は入球したことを契機に、前記常時変動表示されている識別情報画像が停止表示されるパチンコ遊技機の表示制御方法であって、
常時変動表示されている前記複数の識別情報画像の変動速度に応じた態様で前記識別情報画像を停止表示させる制御内容を含むことを特徴とするパチンコ遊技機の表示制御方法。
【請求項４】
速い速度で常時変動表示されている識別情報画像を停止表示させる際には常時変動表示から停止表示されるまでの時間を長くするとともに、遅い速度で常時変動表示されている識別情報画像を停止表示させる際には常時変動表示から停止表示されるまでの時間を短くする制御内容を含むことを特徴とする請求項３記載のパチンコ遊技機の表示制御方法。
【請求項５】
複数の識別情報画像が変動表示又は停止表示される表示部を備え、前記表示部において、前記複数の識別情報画像のうち少なくとも一つ以上の識別情報画像が常時変動表示され、遊技者の発射するパチンコ球が所定の位置を通過又は入球したことを契機に、前記常時変動表示されている識別情報画像が停止表示されるパチンコ遊技機の表示制御を行うサーバであって、
前記パチンコ遊技機の前記表示部に、常時変動表示されている前記複数の識別情報画像の変動速度に応じた態様で前記識別情報画像を停止表示させることを特徴とするサーバ。
【請求項６】
速い速度で常時変動表示されている識別情報画像を停止表示させる際には常時変動表示から停止表示されるまでの時間を長くするとともに、遅い速度で常時変動表示されている識別情報画像を停止表示させる際には常時変動表示から停止表示されるまでの時間を短くすることを特徴とする請求項５記載のサーバ。
【請求項７】
複数の識別情報画像が変動表示又は停止表示される表示部を備え、前記表示部において、前記複数の識別情報画像のうち少なくとも一つ以上の識別情報画像が常時変動表示され、遊技者の発射するパチンコ球が所定の位置を通過又は入球したことを契機に、前記常時変動表示されている識別情報画像が停止表示されるパチンコ遊技機の表示制御方法であって、
常時変動表示されている前記複数の識別情報画像の変動速度に応じた態様で前記識別情報画像を停止表示させる制御内容を含むことを特徴とするパチンコ遊技機の表示制御方法を実行可能なプログラムが記憶されている記憶媒体。
【請求項８】
速い速度で常時変動表示されている識別情報画像を停止表示させる際には常時変動表示から停止表示されるまでの時間を長くするとともに、遅い速度で常時変動表示されている識別情報画像を停止表示させる際には常時変動表示から停止表示されるまでの時間を短くする制御内容を含むことを特徴とする請求項７記載のパチンコ遊技機の表示制御方法を実行可能なプログラムが記憶されている記憶媒体。
【請求項９】
複数の識別情報画像を変動表示又は停止表示する表示部と、
前記表示部において、遊技者の操作により発射されたパチンコ球が所定の位置を通過又は入球する以前から前記複数の識別情報画像のうち少なくとも一つ以上の識別情報画像を変動表示させるとともに、前記パチンコ球が所定の位置を通過又は入球したことを契機に前記変動表示されている識別情報画像を停止表示させる表示制御装置とを備えたパチンコ遊技機であって、
遊技結果を決定する内部抽選データを記録する主制御回路を備え、
前記表示制御装置は、前記主制御回路によって記録された前記内部抽選データに基づいて設定される前記複数の識別情報画像の変動速度に応じた態様で、前記変動表示されている識別情報画像を停止表示させることを特徴とするパチンコ遊技機。
【請求項１０】
前記表示制御装置は、通常速度で前記変動表示されている識別情報画像を停止表示させる際に停止表示されるまでの時間を、前記通常速度で停止表示させる場合より遅い速度で前記変動表示されている識別情報画像を停止表示させる際に停止表示されるまでの時間よりも長くすることを特徴とする請求項９記載のパチンコ遊技機。
【手続補正書】
【提出日】平成16年5月13日(2004.5.13)
【手続補正１】
【補正対象書類名】明細書
【補正対象項目名】特許請求の範囲
【補正方法】変更
【補正の内容】
【特許請求の範囲】
【請求項１】
複数の識別情報画像が変動表示又は停止表示される表示部を備え、前記表示部において、前記複数の識別情報画像のうち少なくとも一つ以上の識別情報画像が常時変動表示され、遊技者の発射するパチンコ球が所定の位置を通過又は入球したことを契機に、前記常時変動表示されている識別情報画像が停止表示されるパチンコ遊技機であって、
パチンコ球が所定の位置を通過又は入球する以前から、前記表示部において前記変動表示されている識別情報画像を停止表示させようとする動作をキャラクタが行う演出を表示させることを特徴とするパチンコ遊技機。
【請求項２】
停止表示の対象となる識別情報画像が所定期間停止表示されないときには、前記キャラクタが前記識別情報画像の停止表示を促す演出を表示させることを特徴とする請求項１記載のパチンコ遊技機。
【請求項３】
複数の識別情報画像が変動表示又は停止表示される表示部を備え、前記表示部において、前記複数の識別情報画像のうち少なくとも一つ以上の識別情報画像が常時変動表示され、遊技者の発射するパチンコ球が所定の位置を通過又は入球したことを契機に、前記常時変動表示されている識別情報画像が停止表示されるパチンコ遊技機の表示制御方法であって、
パチンコ球が所定の位置を通過又は入球する以前から、前記表示部において前記変動表示されている識別情報画像を停止表示させようとする動作をキャラクタが行う演出を表示させる制御内容を含むことを特徴とするパチンコ遊技機の表示制御方法。
【請求項４】
停止表示の対象となる識別情報画像が所定期間停止表示されないときには、前記キャラクタが前記識別情報画像の停止表示を促す演出を表示させる制御内容を含むことを特徴とする請求項３記載のパチンコ遊技機の表示制御方法。
【請求項５】
複数の識別情報画像が変動表示又は停止表示される表示部を備え、前記表示部において、前記複数の識別情報画像のうち少なくとも一つ以上の識別情報画像が常時変動表示され、遊技者の発射するパチンコ球が所定の位置を通過又は入球したことを契機に、前記常時変動表示されている識別情報画像が停止表示されるパチンコ遊技機の表示制御を行うサーバであって、
パチンコ球が所定の位置を通過又は入球する以前から、前記表示部において前記変動表示されている識別情報画像を停止表示させようとする動作をキャラクタが行う演出を表示させることを特徴とするサーバ。
【請求項６】
停止表示の対象となる識別情報画像が所定期間停止表示されないときには、前記キャラクタが前記識別情報画像の停止表示を促す演出を表示させることを特徴とする請求項５記載のサーバ。
【請求項７】
複数の識別情報画像が変動表示又は停止表示される表示部を備え、前記表示部において、前記複数の識別情報画像のうち少なくとも一つ以上の識別情報画像が常時変動表示され、遊技者の発射するパチンコ球が所定の位置を通過又は入球したことを契機に、前記常時変動表示されている識別情報画像が停止表示されるパチンコ遊技機の表示制御方法であって、
パチンコ球が所定の位置を通過又は入球する以前から、前記表示部において前記変動表示されている識別情報画像を停止表示させようとする動作をキャラクタが行う演出を表示させる制御内容を含むことを特徴とするパチンコ遊技機の表示制御方法を実行可能なプログラムが記憶されている記憶媒体。
【請求項８】
停止表示の対象となる識別情報画像が所定期間停止表示されないときには、前記キャラクタが前記識別情報画像の停止表示を促す演出を表示させる制御内容を含むことを特徴とする請求項７記載のパチンコ遊技機の表示制御方法を実行可能なプログラムが記憶されている記憶媒体。
【請求項９】
複数の識別情報画像を変動表示又は停止表示する表示部と、
前記表示部において、遊技者の操作により発射されたパチンコ球が所定の位置を通過又は入球する以前から前記複数の識別情報画像のうち少なくとも一つ以上の識別情報画像を変動表示させるとともに、前記パチンコ球が所定の位置を通過又は入球したことを契機に前記変動表示されている識別情報画像を停止表示させる表示制御装置とを備えたパチンコ遊技機であって、
前記所定の位置をパチンコ球が通過又は入球したことを検出するセンサを備え、
前記表示制御装置は、前記センサにより検出される以前から、前記表示部において、キャラクタが前記変動表示されている識別情報画像を停止表示させようとする演出を表示させることを特徴とするパチンコ遊技機。
【請求項１０】
前記表示制御装置は、前記変動表示されている識別情報画像が所定期間停止表示されないときには、キャラクタが前記識別情報画像の停止表示を促す演出を表示させることを特徴とする請求項９記載のパチンコ遊技機。
【手続補正書】
【提出日】平成16年11月30日(2004.11.30)
【手続補正１】
【補正対象書類名】明細書
【補正対象項目名】発明の名称
【補正方法】変更
【補正の内容】
【発明の名称】プリプレグの製造方法
【手続補正２】
【補正対象書類名】明細書
【補正対象項目名】特許請求の範囲
【補正方法】変更
【補正の内容】
【特許請求の範囲】
【請求項１】
強化繊維に熱硬化性樹脂を含浸させたプリプレグの製造方法において、
片面に熱硬化性樹脂を塗布した一対の担持シートで強化繊維を挟持して、積層体を形成する工程と、
前記積層体に張力をかけながら、前記積層体を加熱する工程と、
前記積層体を加熱、加圧することにより、強化繊維に熱硬化性樹脂を含浸させ、プリプレグを生成する工程とを有することを特徴とするプリプレグの製造方法。
【請求項２】
前記積層体に張力をかけながら、前記積層体を加熱する工程を、隣接する前記加熱部材が前記積層体の異なる面に接し、かつ、隣接する前記加熱部材間を通過する時の前記積層体の進行方向がその直前の進行方向と異なるように配置されている、複数の加熱部材により行う、請求項１記載のプリプレグの製造方法。
【請求項３】
前記加熱部材に対して前記積層体が押し付けられる圧力が０．０１〜０．５ｋｇ／ｃｍ2であることを特徴とする請求項２に記載のプリプレグの製造方法。
【請求項４】
前記加熱部材の前記積層体と接する面が曲面である請求項２又は請求項３に記載のプリプレグの製造方法。
【手続補正３】
【補正対象書類名】明細書
【補正対象項目名】００１１
【補正方法】変更
【補正の内容】
【００１１】
【課題を解決するための手段】
本発明者は上記課題を解決するべく検討を行った結果、以下のプリプレグの製造方法を発明するに到った。
本発明のプリプレグの製造方法は、強化繊維に熱硬化性樹脂を含浸させたプリプレグの製造方法において、
片面に熱硬化性樹脂を塗布した一対の担持シートで強化繊維を挟持して、積層体を形成する工程と、
前記積層体に張力をかけながら、前記積層体を加熱する工程と、
前記積層体を加熱、加圧することにより、強化繊維に熱硬化性樹脂を含浸させ、プリプレグを生成する工程とを有することを特徴とするプリプレグの製造方法である。そして、片面に熱硬化性樹脂を塗布した一対の担持シートで強化繊維を挟持して、積層体を形成する積層体形成手段と、前記積層体に張力をかけながら、前記積層体を加熱する加熱手段と、前記積層体を加熱、加圧することにより、強化繊維に熱硬化性樹脂を含浸させ、プリプレグを生成するプリプレグ生成手段とを具備することを特徴とする装置により好適に実施可能である。
【手続補正書】
【提出日】平成17年10月13日(2005.10.13)
【手続補正１】
【補正対象書類名】明細書
【補正対象項目名】特許請求の範囲
【補正方法】変更
【補正の内容】
【特許請求の範囲】
【請求項１】
ａ）  実験式
ＡａＤｂＥｃＸｄＯｅ
（式中、Ａは、ＭｏおよびＷからなる群から選択される少なくとも一つの元素であり、ＤはＶおよびＣｅからなる群から選択される少なくとも一つの元素であり、ＥはＴｅ、ＳｂおよびＳｅからなる群から選択される少なくとも一つの元素であり、ＸはＮｂ、Ｔａ、Ｔｉ、Ａｌ、Ｚｒ、Ｃｒ、Ｍｎ、Ｆｅ、Ｒｕ、Ｃｏ、Ｒｈ、Ｎｉ、Ｐｔ、Ｓｂ、Ｂｉ、Ｂ、Ｉｎ、Ａｓ、Ｇｅ、Ｓｎ、Ｌｉ、Ｎａ、Ｋ、Ｒｂ、Ｃｓ、Ｆｒ、Ｂｅ、Ｍｇ、Ｃａ、Ｓｒ、Ｂａ、Ｒａ、Ｈｆ、Ａｇ、Ｐｂ、Ｐ、Ｐｍ、Ｅｕ、Ｇｄ、Ｄｙ、Ｈｏ、Ｅｒ、Ｔｍ、ＹｂおよびＬｕからなる群から選択される少なくとも一つの元素であり；ａ＝１、ｂ＝０．０１〜１．０、ｃ＝０．０１〜１．０、ｄ＝０．０１〜１．０であり、ｅは他の元素の酸化状態に依存する）
を有する混合金属酸化物の前駆体を提供する工程、
ｂ）該前駆体の混合物を焼成する工程、および
ｃ）該前駆体に、水素、アルコール、ガス状のＮＯｘ源、およびそれらの混合物からなる群から選択される処理薬剤を供給する工程、
を含む、触媒特性の改良方法。
【請求項２】  処理薬剤が水素である請求項１記載の方法。
【請求項３】  処理薬剤がメタノールである請求項１記載の方法。
【請求項４】  処理薬剤がＮＯ、Ｎ２Ｏ、ＮＯ２およびそれらの混合物からなる群から選択されるガス状のＮＯｘ源である請求項１記載の方法。
【請求項５】  アルコールが液体として供給される請求項１記載の方法。
【請求項６】  供給工程（ｃ）が該焼成工程（ｂ）の間以降に行われる、請求項１記載の方法。
【請求項７】  供給工程（ｃ）が該焼成工程（ｂ）の間以降に行われる、請求項２記載の方法。
【請求項８】  供給工程（ｃ）が該焼成工程（ｂ）の間以降に行われる、請求項３記載の方法。
【請求項９】  供給工程（ｃ）が該焼成工程（ｂ）の間以降に行われる、請求項４記載の方法。
【請求項１０】
ａ）  実験式
ＡａＤｂＥｃＸｄＯｅ
（式中、Ａは、ＭｏおよびＷからなる群から選択される少なくとも一つの元素であり、ＤはＶおよびＣｅからなる群から選択される少なくとも一つの元素であり、ＥはＴｅ、ＳｂおよびＳｅからなる群から選択される少なくとも一つの元素であり、ＸはＮｂ、Ｔａ、Ｔｉ、Ａｌ、Ｚｒ、Ｃｒ、Ｍｎ、Ｆｅ、Ｒｕ、Ｃｏ、Ｒｈ、Ｎｉ、Ｐｔ、Ｓｂ、Ｂｉ、Ｂ、Ｉｎ、Ａｓ、Ｇｅ、Ｓｎ、Ｌｉ、Ｎａ、Ｋ、Ｒｂ、Ｃｓ、Ｆｒ、Ｂｅ、Ｍｇ、Ｃａ、Ｓｒ、Ｂａ、Ｒａ、Ｈｆ、Ａｇ、Ｐｂ、Ｐ、Ｐｍ、Ｅｕ、Ｇｄ、Ｄｙ、Ｈｏ、Ｅｒ、Ｔｍ、ＹｂおよびＬｕからなる群から選択される少なくとも一つの元素であり；ａ＝１、ｂ＝０．０１〜１．０、ｃ＝０．０１〜１．０、ｄ＝０．０１〜１．０であり、ｅは他の元素の酸化状態に依存する）
を有する混合金属酸化物の前駆体を提供する工程、
ｂ）該前駆体の混合物を焼成する工程、
ｃ）前記焼成工程（ｂ）の開始後に、該前駆体に、水素、メタノール、ガス状のＮＯ、ガス状のＮ２Ｏ、ガス状のＮＯ２、およびそれらの混合物からなる群から選択される処理薬剤を供給する工程、および
ｄ）アルカンまたはアルカンとアルケンの混合物を含むフィードを、前記触媒の存在下で気相触媒酸化反応に供する工程、
を含む触媒プロセス。
【請求項１１】  前記工程ｄ）のフィードがさらにアンモニアを含む、請求項１０記載のプロセス。
【手続補正書】
【提出日】平成16年6月17日(2004.6.17)
【手続補正１】
【補正対象書類名】明細書
【補正対象項目名】請求項１
【補正方法】変更
【補正の内容】
【請求項１】
掻寄羽根を槽の底に沿って移動させて前記槽の底に堆積する堆積物を掻き寄せる堆積物の掻寄装置であって、
前記掻寄羽根を前記掻寄羽根の前記移動方向と直交する水平軸周りに揺動自在に支持する掻寄羽根支持手段と、
前記掻寄羽根支持手段が設置される掻寄架台と、
前記掻寄架台を前記槽の底に平行に往復運動させる駆動手段と、
前記掻寄羽根又は掻寄羽根支持手段に設けられた被案内部と、
前記掻寄架台の往復方向に延在し、前記掻寄羽根を前記水平軸の下方に垂下する第一の揺動位置として往動方向に移動可能とし、前記掻寄羽根を前記第一の揺動位置より上方に揺動させた位置で前記被案内部を復動方向に移動可能に案内する案内手段とを備え、
前記掻寄羽根と前記掻寄羽根を支持する前記掻寄羽根支持手段との組合せを複数有し、前記掻寄羽根支持手段は前記掻寄架台に対して前記往復方向に複数並設されることを特徴とする、堆積物の掻寄装置。
【手続補正２】
【補正対象書類名】明細書
【補正対象項目名】請求項６
【補正方法】変更
【補正の内容】
【請求項６】
前記被案内部は前記組合せ毎に設けられたことを特徴とする、請求項１〜５の何れか一項に記載の堆積物の掻寄装置。
【手続補正３】
【補正対象書類名】明細書
【補正対象項目名】請求項７
【補正方法】変更
【補正の内容】
【請求項７】
前記被案内部は少なくとも前記組合せの内の一つに対して設けられ、前記掻寄羽根の各々の揺動動作を互いに連動させる連結手段を備えることを特徴とする、請求項１〜５の何れか一項に記載の堆積物の掻寄装置。
【手続補正４】
【補正対象書類名】明細書
【補正対象項目名】０００７
【補正方法】変更
【補正の内容】
【０００７】
【課題を解決するための手段】
本発明の堆積物の掻寄装置は、掻寄羽根を槽の底に沿って移動させて槽の底に堆積する堆積物を掻き寄せる堆積物の掻寄装置であって、掻寄羽根を掻寄羽根の移動方向と直交する水平軸周りに揺動自在に支持する掻寄羽根支持手段と、掻寄羽根支持手段が設置される掻寄架台と、掻寄架台を槽の底に平行に往復運動させる駆動手段と、掻寄羽根又は前記掻寄羽根を支持する掻寄羽根支持手段に設けられた被案内部と、掻寄架台の往復方向に延在し、掻寄羽根を前記水平軸の下方に垂下する第一の揺動位置として往動方向に移動可能とし、掻寄羽根を第一の揺動位置より上方に揺動させた位置で被案内部を復動方向に移動可能に案内する案内手段と、を備え、掻寄羽根と掻寄羽根を支持する掻寄羽根支持手段との組合せを複数有し、掻寄羽根支持手段は掻寄架台に対して往復方向に複数並設されることを特徴とする。
【手続補正５】
【補正対象書類名】明細書
【補正対象項目名】０００９
【補正方法】変更
【補正の内容】
【０００９】
一方、掻寄架台の復動時には、掻寄羽根が上方に揺動された状態となるように被案内部が案内手段によって案内されて復動方向に移動可能とされるので、復動時に掻寄羽根が槽の底部から離間される。このため、復動時における、掻寄羽根と往動時に掻き寄せた堆積物との接触が確実に防止される。また、各々の掻寄羽根が揺動動作され、槽の底部の堆積物が複数の掻寄羽根によって分担して往動側に掻き寄せられるので、掻寄架台の往復運動の距離を短くできる。
【手続補正６】
【補正対象書類名】明細書
【補正対象項目名】００２１
【補正方法】変更
【補正の内容】
【００２１】
また、被案内部は組合せ毎に設けられることが好ましい。
【手続補正７】
【補正対象書類名】明細書
【補正対象項目名】００２２
【補正方法】変更
【補正の内容】
【００２２】
また、被案内部は少なくともそれら組合せの内の一つに対して設けられ、掻寄羽根の各々の揺動動作を互いに連動させる連結手段を備えてもよい。
【手続補正８】
【補正対象書類名】明細書
【補正対象項目名】００２３
【補正方法】変更
【補正の内容】
【００２３】
これによれば、被案内部が設けられた組合せに係る掻寄羽根が案内手段によって揺動されると共に、これに連動して被案内部が設けられていない組合せに係る掻寄羽根も連結手段によって揺動される。また、被案内部の数を組合せの数に比して少なくできるので、案内手段の構成が複雑化せず、コストが低く抑えられる。
【手続補正書】
【提出日】平成16年3月25日(2004.3.25)
【手続補正１】
【補正対象書類名】明細書
【補正対象項目名】請求項４
【補正方法】変更
【補正の内容】
【請求項４】
前記可動接点を揺動支持する複数の支持部の中心線が一致しない配置としたことを特徴とする請求項１、２又は３に記載の接点支持機構。
【手続補正２】
【補正対象書類名】明細書
【補正対象項目名】請求項５
【補正方法】変更
【補正の内容】
【請求項５】
前記可動接点を揺動支持する複数の支持部の中心線が一致する配置とし、中心線が一致する前記支持部の断面積が異なることを特徴とする請求項１、２又は３に記載の接点支持機構。
【手続補正３】
【補正対象書類名】明細書
【補正対象項目名】００１５
【補正方法】変更
【補正の内容】
【００１５】
前記可動接点を揺動支持する複数の支持部の中心線が一致しない配置としたことが好適である。


【手続補正４】
【補正対象書類名】明細書
【補正対象項目名】００１６
【補正方法】変更
【補正の内容】
【００１６】
また、前記可動接点を揺動支持する複数の支持部の中心線が一致する配置とし、中心線が一致する前記支持部の断面積が異なることも好適である。
【手続補正書】
【提出日】平成16年11月30日(2004.11.30)
【手続補正１】
【補正対象書類名】明細書
【補正対象項目名】請求項２
【補正方法】変更
【補正の内容】
【請求項２】
上記凸と凹間のギャップに相当する位相角が、それより僅かに大きい位相角と、主軸の初動回転角とを比較減算してゼロになったとき、上記テーパー嵌合を完成させることを特徴とする請求項１に記載の主軸装置。
【手続補正２】
【補正対象書類名】明細書
【補正対象項目名】請求項３
【補正方法】変更
【補正の内容】
【請求項３】
上記ギャップに相当する位相角が、それより僅かに大きい位相角を制御回路に記憶させ、上記主軸の初動回転角をエンコーダーで検出し、上記記憶データーとエンコーダーの出力とを比較減算するようにしたことを特徴とする請求項１又は２に記載の主軸装置。
【手続補正３】
【補正対象書類名】明細書
【補正対象項目名】００１１
【補正方法】変更
【補正の内容】
【００１１】
【課題を解決するための手段】
上記課題を解決するためにこの発明は、自動工具交換装置を装備した工作機械の主軸に、工具ホルダーをテーパー嵌合する工具の装着機構において、主軸の端面と、この端面に対応する工具ホルダーの端面とを凸と凹でもって互いにギャップを開けて嵌め合わせ、主軸の駆動により、上記凸と凹の回転力伝達面が当接した時点で上記テーパー嵌合を完成させることを特徴とするもので、上記凸と凹間のギャップに相当する位相角が、それより僅かに大きい位相角と、主軸の初動回転角とを比較減算してゼロになったとき、上記テーパー嵌合を完成させるもの、または、上記凸と凹の回転力伝達面が当接することにより自動工具交換装置のアームに発生する応力を検出し、この検出信号により上記テーパー嵌合を完成させるものである。
【手続補正書】
【提出日】平成17年8月5日(2005.8.5)
【手続補正１】
【補正対象書類名】明細書
【補正対象項目名】特許請求の範囲
【補正方法】変更
【補正の内容】
【特許請求の範囲】
【請求項１】
３個の別々の同軸の工具（Ａ、Ｂ、Ｃ）と、
これら３個の別々の同軸の工具を駆動する電動モータ（３３）と、
電動モータ（３３）を垂直方向に移動するための第１駆動手段（４６）と、
電動モータ（３３）が、第１駆動手段（４６）により垂直方向に移動されるように、第１駆動手段（４６）を支持するとともに、電動モータを支持する第１支持構造体（３４）と、
垂直方向軸線（Ｙ）をなす回転自在なピン（１７）と、
ピンを回転自在に支持するとともに、第１支持構造体を垂直方向軸線（Ｙ）を中心として回転自在に支持する、第２支持構造体（１３）であって、互いに直角である２方向（Ｘ，Ｒ）において、水平方向に移動自在である、第２支持構造体と、
第１支持構造体（３４）に鳩尾断面を利用してスライド自在に組み合わされる中間部材（２７）とを備え、
ピンは、中間部材（２７）に鳩尾断面を利用してスライド自在に組み合わされ、
さらに、中間部材（２７）により支持され、第１支持構造体（３４）に対して作動的に結合された、第２駆動手段（４０）と、
ねじ手段（２９）とを備え、
中間部材（２７）は、アール面取りの曲率半径を調節するため、ねじ手段（２９）を介してピン（１７）と協働する、工具（Ａ、Ｂ、Ｃ）によりガラス板（Ｋ）の複数個のコーナーにアール面取りをする装置。
【請求項２】
前記第１支持構造体（３４）は、前記垂直方向軸線（Ｙ）に関して水平方向に移動自在である、請求項１に記載の装置。
【請求項３】
前記第２支持構造体（１３）の水平方向移動は、２個の重なり合うテーブル（２、８）によりもたらされ、これらテーブルは、別々の駆動手段（４、１０）により駆動される、請求項１に記載の装置。
【請求項４】
前記２個のテーブル（２、８）の一方（２）は、装置の基台（１）により、スライド案内手段（３）を介して支持され、前記２個のテーブル（２、８）の他方（８）は、２個のテーブル（２、８）の一方（２）に設けた別個のスライド案内手段（３）を介して支持される、請求項３に記載の装置。
【請求項５】
前記垂直方向ピン（１７）は、垂直方向ピン（１７）に９０°回転をもたらすように設けられた第３駆動手段（１９又は２０、２１、２２、２３）に対して作動的に結合される、請求項１に記載された装置。
【請求項６】
装置には、ガラス板（Ｋ）用のクランプ手段（４８、４８Ａ、５０）が、設けられる、請求項１に記載された装置。
【請求項７】
ガラス板（Ｋ）に当てがわれる、調節自在なセンタリング手段（６５、６５Ａ）が、設けられ、前記第１及び第２テーブル（２、８）によりそれぞれ、支持される、請求項１に記載された装置。
【請求項８】
ガラス板（Ｋ）を一列に並べてアール面取りをするために、３個の同一の装置（図１、図２、図３）を設け、これら装置（Ｑ）の第１の対が、ガラス板の前端の２個のコーナーにアール面取りを施し、これら装置の第２の対が、ガラス板の後端の２個のコーナーにアール面取りを施す、請求項１に記載された装置。
【請求項９】
これら対をなす装置（Ｑ）の一方は、対をなす他方の装置に対して、遠ざかり又は近接移動自在である、請求項８に記載の装置。
【請求項１０】
各装置には、ガラス板（Ｋ）を支持し搬送する無端駆動手段（１０５）が、取り付けられる、請求項８に記載の装置。
【請求項１１】
各装置には、ガラス板（Ｋ）を支持し搬送する無端駆動手段（１０５）が、取り付けられる、請求項９に記載の装置。
【請求項１２】
３個の別々の同軸の工具（Ａ、Ｂ、Ｃ）からなる群と、
これら３個の別々の同軸の工具の各々を駆動する電動モータ（３３）と、
電動モータ（３３）を垂直方向に移動するための第１駆動手段（４６）と、
電動モータ（３３）が、第１駆動手段（４６）により垂直方向に移動されるように、第１駆動手段に結合したスライド手段（４４、４５）を介して、第１駆動手段（４６）を水平方向において支持するとともに、電動モータを垂直方向において支持する第１支持構造体（３４）と、
垂直方向軸線（Ｙ）をなす回転自在なピン（１７）と、
ピンを回転自在に支持するとともに、第１支持構造体を垂直方向軸線（Ｙ）を中心として回転自在に支持する、第２支持構造体（１３）であって、互いに直角である２方向（Ｘ，Ｒ）において、水平方向に移動自在である、第２支持構造体と、
第１支持構造体（３４）に鳩尾断面を利用してスライド自在に組み合わされる中間部材（２７）とを備え、
ピンは、中間部材（２７）に鳩尾断面を利用してスライド自在に組み合わされ、
さらに、中間部材（２７）により支持され、第１支持構造体（３４）に対して作動的に結合された、第２駆動手段（４０）と、
ねじ手段（２９）とを備え、
中間部材（２７）は、アール面取りの曲率半径を調節するため、ねじ手段（２９）を介してピン（１７）と協働する、工具（Ａ、Ｂ、Ｃ）によりガラス板（Ｋ）の複数個のコーナーにアール面取りをする装置。
【請求項１３】
複数個の同軸の工具（Ａ、Ｂ、Ｃ）と、
各工具を駆動する電動モータ（３３）と、
電動モータ（３３）を垂直方向に移動するための第１駆動手段（４６）と、
電動モータ（３３）が、第１駆動手段（４６）により垂直方向に移動されるように、第１駆動手段（４６）を水平方向において支持するとともに、電動モータを支持するスライド手段（４４）を垂直方向において支持する第１支持構造体（３４）と、
垂直方向軸線（Ｙ）をなす回転自在なピン（１７）と、
ピンを回転自在に支持するとともに、第１支持構造体を垂直方向軸線（Ｙ）を中心として回転自在に支持する、第２支持構造体（１３）であって、互いに直角である２方向（Ｘ，Ｒ）において、水平方向に移動自在である、第２支持構造体と、
第１支持構造体（３４）に鳩尾断面を利用してスライド自在に組み合わされる中間部材（２７）とを備え、
ピンは、中間部材（２７）に鳩尾断面を利用してスライド自在に組み合わされ、
さらに、中間部材（２７）により支持され、第１支持構造体（３４）に対して作動的に結合された、第２駆動手段（４０）と、
ねじ手段（２９）とを備え、
中間部材（２７）は、アール面取りの曲率半径を調節するため、ねじ手段（２９）を介してピン（１７）と協働する、工具（Ａ、Ｂ、Ｃ）によりガラス板（Ｋ）の複数個のコーナーにアール面取りをする装置。
【手続補正書】
【提出日】平成16年7月28日(2004.7.28)
【手続補正１】
【補正対象書類名】明細書
【補正対象項目名】発明の名称
【補正方法】変更
【補正の内容】
【発明の名称】ディスク成形金型とディスク成形方法
【手続補正２】
【補正対象書類名】明細書
【補正対象項目名】特許請求の範囲
【補正方法】変更
【補正の内容】
【特許請求の範囲】
【請求項１】
可動側型板と固定側型板を閉じて、その間に設けられたスタンパによりディスクを成形するディスク成形金型において、可動側型板と固定側型板が閉じた時に、互いのテーパー面が噛み合うことにより、可動側型板と固定側型板の間の位置関係を規定する可動側型板インローパーツと固定側型板インローパーツを可動側型板と固定側型板の外周部にそれぞれ取り付け、前記可動側型板インローパーツと固定側型板インローパーツの内径および可動側型板と固定側型板への位置決めピンのピッチと締め付けボルトのピッチを同じにして可動側型板インローパーツと固定側型板インローパーツの可動側型板と固定側型板への付け替えを可能にしたディスク成形金型。
【請求項２】
成形するデ
ィスクの反り方向を制御するために、可動側型板と固定側型板の金型温度設定を変更する場合、可動側型板
インローパーツと固定側型板インローパーツの内径および可動側型板と固定側型板への位置決めピンのピッチと締め付けボルトのピッチを同じにして可動側型板インローパーツと固定側型板インローパーツの可動側型板と固定側型板へ付け替える請求項１に記載のディスク成形金型を使用したディスク成形方法。
【手続補正３】
【補正対象書類名】明細書
【補正対象項目名】０００１
【補正方法】変更
【補正の内容】
【０００１】
【発明の属する技術分野】
本発明はＤＶＤ等の２枚のディスクを貼合わせた両面光ディスクのディスク成
形金型とディスク成形方法に関するものである。
【手続補正４】
【補正対象書類名】明細書
【補正対象項目名】００１２
【補正方法】変更
【補正の内容】
【００１２】
本発明は上記課題を解決し、金型温度設定の変更に対しても、可動側型板イン
ローパーツと固定側型板インローパーツの付け替えを可能とし、可動側型板と固
定側型板の位置決め精度を確保できるディスク成形金型とディスク成形方法を提供することを目的と
するものである。
【手続補正５】
【補正対象書類名】明細書
【補正対象項目名】００１４
【補正方法】変更
【補正の内容】
【００１４】
【発明の実施の形態】
本発明の請求項１に記載の発明は、可動側型板と固定側型板を閉じて、その間
に設けられたスタンパによりディスクを成形するディスク成形金型において、可
動側型板と固定側型板が閉じた時に、互いのテーパー面が噛み合うことにより、
可動側型板と固定側型板の間の位置関係を規定する可動側型板インローパーツと
固定側型板インローパーツを可動側型板と固定側型板の外周部にそれぞれ取り付
け、前記可動側型板インローパーツと固定側型板インローパーツの内径および可
動側型板と固定側型板への位置決めピンのピッチと締め付けボルトのピッチを同
じにして可動側型板インローパーツと固定側型板インローパーツの可動側型板と
固定側型板への付け替えを可能にしたディスク成形金型であり、可動側型板イン
ローパーツと固定側型板インローパーツの内径および可動側型板と固定側型板へ
の位置決めピンのピッチと締め付けボルトのピッチが同じであることにより、可
動側型板インローパーツと固定側型板インローパーツの可動側型板と固定側型板
への付け替えができるという作用を有する。
本発明の請求項２に記載の発明は、成形するデ
ィスクの反り方向を制御するために、可動側型板と固定側型板の金型温度設
定を変更する場合、可動側型板
インローパーツと固定側型板インローパーツの内径および可動側型板と固定側型
板への位置決めピンのピッチと締め付けボルトのピッチを同じにして可動側型板
インローパーツと固定側型板インローパーツの可動側型板と固定側型板へ付け
替える請求項１に記載のディスク成形金型を使用したディスク成形方法であり、
可
動側型板インローパーツと固定側型板インローパーツを可動側型板と固定側型板
への付け替えることにより、可動側型板と固定側型板の金型温度設
定を変更する場合でも、可動側型板と固定側型板の位置決め精度を確保できるという作用を有する。
【手続補正書】
【提出日】平成16年9月13日(2004.9.13)
【手続補正１】
【補正対象書類名】明細書
【補正対象項目名】００１４
【補正方法】変更
【補正の内容】
【００１４】
図３において、Ａは固定側取付盤５の上面と本体フレーム３における基台部３ａ下面間の寸法、ＢはＹ軸方向におけるチャック１７の初期位置、Ｃはチャック１７のセンターオフセット寸法、Ｄはチャック１７の厚み寸法、Ｅはチャック１７の下側寸法、Ｆは成形機２における金型の型開寸法、Ｇは可動金型６の上側寸法、Ｈは固定金型８の厚さ寸法、Ｉは可動金型６の厚さ寸法、Ｊはチャック１７の侵入可能寸法、Ｋは成型品４の厚さ寸法、Ｌは固定側取付盤５の中心からの上方寸法、Ｍは固定側取付盤５の中心からの安全ドア（図示せず）の高さ寸法、Ｎは本体フレーム３の基台部３ａ下端から昇降フレーム１９におけるチャック１７の取付け位置高さとする。
【手続補正２】
【補正対象書類名】明細書
【補正対象項目名】００２０
【補正方法】変更
【補正の内容】
【００２０】
ＣＰＵ３１にはアラーム作動回路４３が接続され、該アラーム作動回路４３はＣＰＵ３１からアラーム信号が入力された際にブザーや警告等の警告部材４５を作動して作業者に入力されたチャック位置データが不正であることを報知させる。
【手続補正３】
【補正対象書類名】明細書
【補正対象項目名】００２７
【補正方法】変更
【補正の内容】
【００２７】
その際のチャック１７の移動距離条件としては、金型との干渉を回避するために常にＹ1＞Ｂ、Ｚ1−Ｅ＞Ｇの関係が成立することが要求される。このため、上記した教示入力時にチャック１７の教示移動の操作に伴って入力されるチャック１７の移動距離がＹ1がＢに、またＺ1がＥ＋Ｇの値に近づいた際には、チャック１７が金型に干渉するおそれがあることを操作者に警告するため、ＣＰＵ３１はアラーム信号をアラーム作動回路４３に出力して警告部材４５を作動させると共にサーボモータ２１の駆動を中断してチャック１７を停止させる。
【手続補正４】
【補正対象書類名】明細書
【補正対象項目名】００４３
【補正方法】変更
【補正の内容】
【００４３】
３．上記説明は、成型品を保持するチャック１７の移動位置データを入力設定する際のアラーム処理に付いて説明したが、本発明は成型品のランナ及びスプルを保持するチャックの移動位置を設定入力する際のアラーム処理方法としても実施できる。
【手続補正書】
【提出日】平成16年6月30日(2004.6.30)
【手続補正１】
【補正対象書類名】明細書
【補正対象項目名】００１５
【補正方法】変更
【補正の内容】
【００１５】
第１乾燥装置(6)と第２乾燥装置(8)は同様な構成であり、それぞれ熱風吹き込み口(61)(81)および同排出口(62)(82)を有するハウジング(60)(80)内に、複数の搬送ロール(63)(83)が千鳥配置状に設けられたものである。両乾燥装置(6)(8)においては、ウェブ(W)はハウジング(60)(80)内を全ての搬送ロール(63)(83)に掛けられて搬送され、その搬送中に、熱風吹き込み口(61)(81)から吹き込まれる乾燥熱風により乾燥させられる。フィルム巻取装置(9)は、ハウジング(90)内に設けられた複数の搬送ロール(91)および１つの巻取ロール(92)を備えている。そして、第２乾燥装置(8)から送られてきたフィルム(F)は、ハウジング(90)内を全ての搬送ロール(91)に掛けられて搬送され、巻取ロール(92)に巻き取られる。
【手続補正２】
【補正対象書類名】明細書
【補正対象項目名】００２０
【補正方法】変更
【補正の内容】
【００２０】
ついで、支持体(1)のドープ膜を、加熱乾燥装置(3)(4)により乾燥させて支持体(1)上にウェブ(W)を形成する。ついで、支持体(1)上に形成されたウェブ(W)を、剥離ロール(5)により支持体(1)から剥離し、剥離したウェブ(W)を第１乾燥装置(6)のハウジング(60)内に送る。第１乾燥装置(6)では、ウェブ(W)を複数の搬送ロール(63)に掛けてハウジング(60)内を搬送し、この搬送中に、熱風吹き込み口(61)から吹き込まれる乾燥熱風により乾燥させる。ついで、このウェブ(W)をテンター装置(7)に送り、ここでウェブ(W)の幅手方向両端部を把持して、ウェブ(W)の幅を一定に保持、またはウェブ(W)を幅手方向に延伸するとともに、加熱乾燥させる。
【手続補正書】
【提出日】平成16年12月13日(2004.12.13)
【手続補正１】
【補正対象書類名】明細書
【補正対象項目名】００２２
【補正方法】変更
【補正の内容】
【００２２】
第２の実施の形態の天秤糸案内台２００には回転天秤１２の回転中心１２ｃを中心とする２つの円弧状の長穴２３２，２３４が形成されている。一方の長穴２３２に天秤カバー２２の支柱（支持部）２２ａを通して天秤糸案内台２００を天秤カバー２２と面板２０の間に配置し、他方の長穴２３４には図示しないネジを通してこのネジにより天秤糸案内台２００を面板２０へ固定している。
【手続補正書】
【提出日】平成16年12月13日(2004.12.13)
【手続補正１】
【補正対象書類名】明細書
【補正対象項目名】００４２
【補正方法】変更
【補正の内容】
【００４２】
３５は上下送りカム、３６は水平送りカムであり、これらの上下送りカム３５と水平送りカム３６とは、ミシンのフレーム３７に回動自在に支持されミシンモーターにより回転される不図示のミシンの主軸に固定されている。３８は上下送り軸であり、ミシンのベッド３９に回動自在に支持され、一端に連結腕４０が固定され、他端に図２に示す上下送り腕４１が固定されている。４２は水平送り軸であり、ミシンのベッド３９に回動自在に支持され、一端に連結腕４３が固定され、他端に図２に示す水平送り腕４４が固定されている。
【手続補正２】
【補正対象書類名】明細書
【補正対象項目名】００５２
【補正方法】変更
【補正の内容】
【００５２】
詳述すると、まず上下送りカム３５が回転すると、上下送りロッド５２が上下に往復動し上下送り軸３８を搖動して送り歯６１に上下運動を付与するのであるが、この送り歯６１の上下運動量と運動位相は、上下送り調節装置４５における上下変換台４６の軸４７に対する軸５０の位置によって決定され、また軸５０の位置は上下送りステッピングモーター５４により決定される。
【手続補正３】
【補正対象書類名】明細書
【補正対象項目名】００９３
【補正方法】変更
【補正の内容】
【００９３】
この搖動により送り変換ロッド９２が上下動し、上下送り軸３８を搖動し送り台６０を上下動させて不図示の送り歯に上下動を与え、不図示の水平送り機構と協働して送り歯に布送りの四運動をさせる。